(57)【要約】【課題】金属製または樹脂製の枠部材と他の枠部材との組付けにおいて連結部材が欠損した場合に、枠部材を交換することなく、連結部材のみを交換し得る遊技機の外枠を提供する。【解決手段】左右の枠部材３，４が金属製である遊技機の外枠１であって、金属製の枠部材３，４と別体に形成された連結部材１０〜１３を有している。金属製の枠部材３，４は、上下両部の後ろ寄り位置に挿入取付部４ｂ，４ｃを有している。連結部材１０〜１３は、挿入取付部４ｂ，４ｃに挿入されて取付けられる取付脚と、上下の枠部材２，５に形成された溝部２ａ，５ａに嵌合するほぞ部１０ｃ〜１３ｃを有しており、金属製の枠部材３，４に一体にされた状態でほぞ部１０ｃ〜１３ｃに上下の枠部材２，５が連結される構成になっている。【選択図】図２
2007275330.tif 000002
【特許請求の範囲】
【請求項１】
矩形枠状に枠組みされる上下左右の枠部材を有しており、左右の枠部材の少なくとも一つが金属製または樹脂製である遊技機の外枠であって、
前記金属製または樹脂製の枠部材と別体に形成された連結部材を有しており、
前記金属製または樹脂製の枠部材は、上下両部の後ろ寄り位置に挿入取付部を有しており、
前記連結部材は、前記挿入取付部に挿入されて取付けられる取付脚と、前記上下いずれかの枠部材に形成された溝部に嵌合するほぞ部を有しており、前記金属製または樹脂製の枠部材に一体にされた状態で前記ほぞ部に前記上下いずれかの枠部材が連結される構成になっていることを特徴とする遊技機の外枠。
【請求項２】
請求項１に記載の遊技機の外枠であって、
連結部材のほぞ部が嵌合される上下いずれかの枠部材は、木製であり、
前記連結部材は、板金から形成されており、かつ取付脚の他に、該取付脚の前側に配設されて金属製または樹脂製の枠部材に取付けられる前側取付脚を有しており、これら取付脚と前側取付脚の間にほぞ部を有していることを特徴とする遊技機の外枠。
【請求項３】
請求項１または２に記載の遊技機の外枠であって、
金属製または樹脂製の枠部材は、上下に延出するレール部を有しており、
前記レール部の上下両部は、連結部材の取付脚が挿入される挿入取付部になっており、
前記レール部の上下中間位置には、外枠に開閉動可能に取付けられる前枠の施錠装置が係止される係止爪がレール部に沿って位置調整可能に取付けられていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
近年、遊技機の盤面拡大の要求に応えるために、外枠の内枠領域面積の拡大が求められており、例えば特許文献１に係る外枠が開発されている。
特許文献１に係る外枠は、上下左右の枠部材を有しており、上下の枠部材が木製であり、左右の枠部材が鋼板製であって、左右の枠部材が薄い板厚になっている。そのため外枠は、内枠領域面積が広くなっており、盤面拡大の要求に応え得る構成になっている。
また左右の枠部材の上下両端部には、木製の枠部材に向けて右方向または左方向に延出する連結部が形成されており、その連結部に木製の枠部材の左右端部が取付けられていた。
【特許文献１】特開２００５−８７５７８号公報
【発明の開示】
【発明が解決しようとする課題】
【０００３】
しかし連結部は、左右の枠部材の上下端部から突出しているために、組付け時に連結部が外力を受けて欠損あるいは折り曲がってしまう場合があった。そして連結部が鋼板製の枠部材と一体に形成されているために、左右の枠部材も連結部と一緒に交換する必要があった。
そこで本発明は、金属製または樹脂製の枠部材と他の枠部材との組付けにおいて連結部材が欠損した場合に、枠部材を交換することなく、連結部材のみを交換し得る遊技機の外枠を提供することを課題とする。
【課題を解決するための手段】
【０００４】
前記課題を解決するために本発明は、各請求項に記載の通りの構成を備える遊技機の外枠であることを特徴とする。
請求項１に記載の発明によると、左右の枠部材の少なくとも一つが金属製または樹脂製である遊技機の外枠であって、金属製または樹脂製の枠部材と別体に形成された連結部材を有している。金属製または樹脂製の枠部材は、上下両部の後ろ寄り位置に挿入取付部を有している。そして連結部材は、挿入取付部に挿入されて取付けられる取付脚と、上下いずれかの枠部材に形成された溝部に嵌合するほぞ部とを有している。そして金属製または樹脂製の枠部材に一体にされた状態でほぞ部に上下いずれかの枠部材が連結される構成になっている。
【０００５】
したがって外枠の組付けの際に連結部材が欠損ないし折り曲がった場合には、枠部材を交換することなく、連結部材のみを交換することができる。そのため製造コストの削減を図ることができる。
また連結部材は、金属製または樹脂製の枠部材の挿入取付部に挿入される取付脚を有している。そのため連結部材は、金属製または樹脂製の枠部材に対して容易に位置決めされる。そのため組付け容易な構成になっている。また挿入取付部は、金属製または樹脂製の枠部材の後ろ寄り位置に形成されている。そのため挿入取付部は、外枠の前寄り位置のスペースを阻害しない構成になっており、盤面の拡大を許容し得る構成になっている。
【０００６】
請求項２に記載の発明によると、連結部材のほぞ部に嵌合される上下いずれかの枠部材は、木製である。連結部材は、板金から形成されており、かつ取付脚の他に、該取付脚の前側に配設されて金属製または樹脂製の枠部材に取付けられる前側取付脚を有しており、これら取付脚と前側取付脚の間にほぞ部を有している。
【０００７】
したがって連結部材のほぞ部は、木製の枠部材の溝部に嵌合される。そのため連結部材と木製の枠部材は、強固に連結される。
また連結部材は、板金から形成されているために、簡易な構成になっている。しかもほぞ部は、金属製または樹脂製の枠部材に取付けられる取付脚と前側取付脚の間に形成されているため、両側がこれらに保持されて構造的に強くなっている。
【０００８】
請求項３に記載の発明によると、レール部の上下両部は、連結部材の取付脚が挿入される挿入取付部になっている。そしてレール部の上下中間位置には、外枠に開閉動可能に取付けられる前枠の施錠装置が係止される係止爪がレール部に沿って位置調整可能に取付けられている。
したがって係止爪は、連結部材と同じレール部に取付けられる。そのためこれらが別々に取付けられるものに比べて枠部材は、簡易な構成になっている。またレール部は、上下に延出しており、係止爪がレール部に沿って位置調整される。そのため係止爪を施錠装置に合わせて容易に位置調整することができる。しかもレール部は、上下に延出しているために枠部材を上下に補強し得る構成にもなっている。
【発明の効果】
【０００９】
本発明によると、金属製または樹脂製の枠部材と他の枠部材との組付けにおいて連結部材が欠損した場合に、枠部材を交換することなく、連結部材のみを交換することができる。
【発明を実施するための最良の形態】
【００１０】
本発明の実施の形態を図１〜６にしたがって説明する。
外枠１は、図１，２に示すように矩形枠状であって、木製の上下の枠部材２，５と、アルミニウム製の左右の枠部材３，４と、これら枠部材２〜５を連結する連結部材１０〜１３と、飾り板６を有している。
上下の枠部材２，５は、図２に示すように左右両端部に溝部２ａ，５ａを有している。溝部２ａ，５ａは、枠部材２，５の端部中央から凹設されており、厚み方向に貫通している。
【００１１】
左右の枠部材３，４は、図２，５に示すように木製の上下の枠部材２，５の厚さ（約１９ｍｍ）よりも薄く、例えば厚さ３〜６ｍｍの薄板状になっている。
右の枠部材４は、後ろ寄り位置（図２左位置）に上下に延出するレール部４ａを有している。レール部４ａは、図４，６に示すように底板部４ａ１と、底板部４ａ１の後ろ端縁と前端縁から張出す一対の張出し片４ａ２，４ａ３を有している。張出し片４ａ２，４ａ３は、底板部４ａ１から枠中央に張出して底板部４ａ１を覆っており、先端間に隙間４ａ４を形成している。
【００１２】
レール部４ａは、図２，４に示すように右の枠部材４よりも短くなっており、右の枠部材４の上下端縁とレール部４ａの上下端縁の間にスペース４ｄ，４ｅを形成している。そしてスペース４ｄ，４ｅには、上下の枠部材２，５の右端部が設置される。
レール部４ａの上下部は、連結部材１２，１３の一部が挿入される挿入取付部４ｂ，４ｃになっている。すなわち挿入取付部４ｂ，４ｃが、右の枠部材４の上下両端部の後ろ寄り位置に形成されており、挿入取付部４ｂ，４ｃの取付孔４ｂ１，４ｃ１に連結部材１２，１３の取付脚が挿入される。
【００１３】
左の枠部材３は、図２などに示すように右の枠部材４と左右対称に形成されている。すなわち左の枠部材３は、後ろ寄り位置にレール部を有しており、レール部の上下部は、連結部材１０，１１の取付脚が挿入される挿入取付部になっている。
【００１４】
連結部材１０〜１３は、図２に示すように鋼材などの板金から形成される金具であって、外枠１の枠内側に配設される。
連結部材１２は、図３に示すように一対のＬ字部１２ａ，１２ｂと、Ｌ字部１２ａ，１２ｂの間に形成されるほぞ部１２ｃとを一体に有している。
【００１５】
Ｌ字部１２ａ，１２ｂは、図３，５に示すように右の枠部材４の後ろ寄り位置と前寄り位置に並設される。
後ろ寄りのＬ字部１２ａは、Ｌ字状であって取付脚１２ａ１と取付片１２ａ２を有している。取付脚１２ａ１は、右の枠部材４の挿入取付部４ｂに挿入されて右の枠部材４に取付けられる（図６参照）。取付片１２ａ２は、上の枠部材２の下面に取付けられる。
【００１６】
前寄りのＬ字部１２ｂは、図３，５に示すようにＬ字状であって前側取付脚１２ｂ１と前側取付片１２ｂ２を有している。前側取付脚１２ｂ１は、右の枠部材４の内側面に取付けられる（図６参照）。前側取付片１２ｂ２は、上の枠部材２の下面に取付けられる。
ほぞ部１２ｃは、図３に示すように取付片１２ａ２，１２ｂ２から上方に延出する一対の延出片１２ｃ１，１２ｃ２と、一対の延出片１２ｃ１，１２ｃ２を連結する連結片１２ｃ３を有している。そしてほぞ部１２ｃは、上の枠部材２の溝部２ａに嵌合される。
【００１７】
左上の連結部材１０は、図２に示すように連結部材１２と左右対称に形成されている。すなわち連結部材１０は、一対のＬ字部とほぞ部を有している。そして後ろ側のＬ字部は、左の枠部材の上端部に形成された挿入取付部に挿入される取付脚を有している。そして連結部材１０は、左の枠部材３の内側に取付けられ、ほぞ部に上の枠部材２が嵌合され、上の枠部材２の下面にねじにて固定される。
【００１８】
左下の連結部材１１は、図２に示すように連結部材１２と同じ形状になっている。すなわち連結部材１１は、一対のＬ字部とほぞ部を有している。そして後ろ側のＬ字部は、左の枠部材の下端部に形成された挿入取付部に挿入される取付脚を有している。そして連結部材１１は、左の枠部材３の内側に取付けられ、ほぞ部に下の枠部材５が嵌合され、下の枠部材５の上面にねじによって固定される。
【００１９】
右下の連結部材１３は、図２に示すように一対のＬ字部とほぞ部の他に、滑り板１３ｄと支持部１３ｅを一体に有している。
滑り板１３ｄは、前側のＬ字部から上方に延出しかつ前方に延出している。そして滑り板１３ｄには、外枠１に回動可能に取付けられた前枠とともに前方から遊戯盤部品が当接され、遊戯盤部品が滑り板１３ｄの上面を滑って外枠１内に案内される。
支持部１３ｅは、前側のＬ字部から左側に延出しており、支持部１３ｅには、飾り板６の取付部６ａが取付けられる。
【００２０】
右の枠部材４のレール部４ａの上下中央位置には、図２に示すように一対の係止爪１７，１８が取付けられる。
係止爪１７，１８は、外枠１に開閉動可能に取付けられる前枠の施錠装置が係止される部材であって、爪本体１７ａ，１８ａと保持板１７ｂ，１８ｂを有している。爪本体１７ａ，１８ａと保持板１７ｂ，１８ｂは、隙間を有した状態でねじにて連結され、保持板１７ｂ，１８ｂが右の枠部材４のレール部４ａに挿入され、爪本体１７ａ，１８ａがレール部４ａよりも枠中心側に配設される。そして係止爪１７，１８をレール部４ａに沿って上下に位置調整して、ねじの締付けによって係止爪１７，１８をレール部４ａに固定する。
【００２１】
外枠１の左側の上下部には、図２に示すように前枠を回動可能に支持する上蝶番１４と下蝶番１５が取付けられる。
上蝶番１４は、鋼材などの金属材から形成されており、本体板部１４ａと突出部１４ｂと取付板部１４ｃを一体に有している。本体板部１４ａは、上の枠部材２の上面に設置されてねじ２０にて連結部材１０とともに上の枠部材２に友締めされる。突出部１４ｂは、本体板部１４ａの前端部から前方に突出しており、前枠の左側上端部が回動可能に取付けられる。取付板部１４ｃは、左の枠部材３の外側面に設置されてねじ２０にて連結部材１０とともに左の枠部材３に友締めされる。
【００２２】
下蝶番１５は、鋼材などの金属材から形成されており、図２に示すように本体取付部１５ａと張出部１５ｂと支持部１５ｃを一体に有している。本体取付部１５ａは、連結部材１１の上方に設置されてねじ２０にて連結部材１１とともに下の枠部材５に友締めされる。張出部１５ｂは、本体取付部１５ａから上方に延出しかつ前方に張出しており、前枠の左側下端部が回動可能に取付けられる。支持部１５ｃは、本体取付部１５ａから右側に延出しており、支持部１５ｃには、飾り板６の取付部６ａが取付けられる。
【００２３】
飾り板６は、図２に示すように外枠１の下側部を装飾する樹脂製の部材である。飾り板６は、後ろ面から後方に延出する一対の取付部６ａ，６ｂを有しており、取付部６ａ，６ｂは、それぞれ下蝶番１５の支持部１５ｃと、連結部材１３の支持部１３ｅにねじによって取付けられる。そして飾り板６は、図１に示すように張出部１５ｂと滑り板１３ｄの下に設置される。したがって飾り板６は、外枠１本体から単品として脱着可能であって、新台入替え時などに容易に交換され得る。
【００２４】
外枠１の組付け方法は、先ず、図２に示すように右の枠部材４のレール部４ａに係止爪１７，１８を取付ける。
次に、左右の枠部材３，４に連結部材１０〜１３をねじ１０によって取付け、左の枠部材３と連結部材１０，１１とを一体とし、右の枠部材４と連結部材１２，１３とを一体とする。そして連結部材１０〜１３のほぞ部１０ｃ〜１３ｃに上下の枠部材２，５の溝部２ａ，５ａを嵌合し、連結部材１０〜１３と上下の枠部材２，５をねじ２０によって固定する。
【００２５】
次に、上蝶番１４を上の枠部材２の上に設置して、上蝶番１４をねじ２０によって上の枠部材２と左の枠部材３に取付ける。そして下蝶番１５を下の枠部材５に設置して、下蝶番１５をねじ２０によって下の枠部材５に取付ける。そして飾り板６を下蝶番１５と連結部材１３に取付ける。
【００２６】
以上のようにして外枠１が形成される。
すなわち左右の枠部材３，４が金属製である遊技機の外枠１であって、図２に示すように左右の枠部材３，４と別体に形成された連結部材１０〜１３を有している。左右の枠部材３，４は、上下両部の後ろ寄り位置に挿入取付部（４ｂ，４ｃ）を有している。そして連結部材１０〜１３は、図３，５参照に示すように挿入取付部（４ｂ，４ｃ）に挿入されて取付けられる取付脚（１２ａ１）と、上下いずれかの枠部材２，５に形成された溝部２ａ，５ａに嵌合するほぞ部（１２ｃ）とを有している。そして左右の枠部材３，４に一体にされた状態でほぞ部（１２ｃ）に上下いずれかの枠部材２，５が連結される構成になっている。
【００２７】
したがって外枠１の組付けの際に連結部材１０〜１３が欠損ないし折り曲がった場合には、枠部材２〜５を交換することなく、連結部材１０〜１３のみを交換することができる。そのため製造コストの削減を図ることができる。
また連結部材１０〜１３は、金属製の枠部材３，４の挿入取付部（４ｂ，４ｃ）に挿入される取付脚（１２ａ１）を有している。そのため連結部材１０〜１３は、金属製の左右の枠部材３，４に対して容易に位置決めされる。そのため組付け容易な構成になっている。また挿入取付部（４ｂ，４ｃ）は、金属製の枠部材３，４の後ろ寄り位置に形成されている。そのため挿入取付部（４ｂ，４ｃ）は、外枠１の前寄り位置のスペースを阻害しない構成になっており、盤面の拡大を許容し得る構成になっている。
【００２８】
また上下の枠部材２，５は、木製である。連結部材１０〜１３は、図３参照に示すように板金から形成されており、かつ取付脚（１２ａ１）の他に、該取付脚（１２ａ１）の前側に配設されて金属製の左右の枠部材３，４に取付けられる前側取付脚（１２ｂ１）を有しており、これら取付脚（１２ａ１）と前側取付脚（１２ｂ１）の間にほぞ部（１２ｃ）を有している。
【００２９】
したがって連結部材１０〜１３のほぞ部１０ｃ〜１３ｃは、図２に示すように木製の枠部材２，５の溝部２ａ，５ａに嵌合される。そのため連結部材１０〜１３と木製の枠部材２，５は、強固に連結される。
また連結部材１０〜１３は、板金から形成されているために、簡易な構成になっている。しかもほぞ部１０ｃ〜１３ｃは、図３参照に示すように金属製の枠部材３，４に取付けられる取付脚（１２ａ１）と前側取付脚（１２ｂ１）の間に設けられているため、両側がこれらに保持されて構造的に強くなっている。
【００３０】
またレール部４ａの上下両部は、図２に示すように連結部材１２，１３の取付脚（１２ａ１）が挿入される挿入取付部４ｂ，４ｃになっている。そしてレール部４ａの上下中間位置には、係止爪７，８がレール部４ａに沿って位置調整可能に取付けられている。
したがって係止爪１７，１８は、連結部材１２，１３と同じレール部４ａに取付けられる。そのためこれらが別々に取付けられるものに比べて右の枠部材４は、簡易な構成になっている。またレール部４ａは、上下に延出しており、係止爪１７，１８がレール部４ａに沿って位置調整される。そのため係止爪１７，１８を施錠装置に合わせて容易に位置調整することができる。しかもレール部４ａは、上下に延出しているために枠部材４を上下に補強し得る構成にもなっている。しかも押出し成形容易な構成になっている。
【００３１】
（他の実施の形態）
本発明は、上記の実施の形態に限定されず、以下の形態であっても良い。
（１）例えば上記の実施の形態に係る左右の枠部材は、アルミニウム製であったが、アルミニウム以外の金属製または樹脂製であっても良い。
（２）また上記の実施の形態に係る左右の枠部材は、どちらもアルミニウム製であったが、いずれか一つの枠部材が金属製または樹脂製であれば良い。
（３）また上記の実施の形態に係る下蝶番１５は、連結部材１１と別個の部材であった。しかし下蝶番１５と連結部材１１が一体に形成される形態であっても良い。
（４）また上記の実施の形態に係る上下の枠部材は、木製であったが、金属製または樹脂製であっても良い。
【図面の簡単な説明】
【００３２】
【図１】外枠の斜視図である。
【図２】組付け前の外枠部品の斜視図である。
【図３】連結部材の斜視図である。
【図４】右の枠部材の斜視図である。
【図５】右と上の枠部材の連結部近傍の拡大斜視図である。
【図６】図５のVI―VI線断面矢視図である。
【符号の説明】
【００３３】
１・・・外枠
２・・・上の枠部材（木製の枠部材）
２ａ，５ａ・・・溝部
３・・・左の枠部材（金属製または樹脂製の枠部材）
４・・・右の枠部材（金属製または樹脂製の枠部材）
４ａ・・・レール部
４ｂ，４ｃ・・・挿入取付部
５・・・下の枠部材（木製の枠部材）
６・・・飾り板
７，８・・・係止爪
１０〜１３・・・連結部材
１０ｃ〜１３ｃ・・・ほぞ部
１２ａ１・・・取付脚
１２ｂ１・・・前側取付脚
１４・・・上蝶番
１５・・・下蝶番
【図１】
2007275330.tif 000003
【図２】
2007275330.tif 000004
【図３】
2007275330.tif 000005
【図４】
2007275330.tif 000006
【図５】
2007275330.tif 000007
【図６】
2007275330.tif 000008